(57)【特許請求の範囲】
【請求項１】
拡張型干渉軽減及びトラフィック適応（ｅＩＭＴＡ）を実行するように動作可能なｅＮｏｄｅＢの装置であって、当該装置が、
前記ｅＮｏｄｅＢにおいて、ｅＩＭＴＡのために使用される無線ネットワーク一時識別子（ＲＮＴＩ）を選択し、
前記ｅＮｏｄｅＢにおいて、ｅＩＭＴＡのために使用される前記ＲＮＴＩを含む物理ダウンリンク制御チャネル（ＰＤＣＣＨ）を監視するための周期を選択し、
前記ｅＮｏｄｅＢにおいて、前記周期内でｅＩＭＴＡのために使用される前記ＲＮＴＩを含む前記ＰＤＣＣＨを監視するためのサブフレームのセットを選択するとともに、
前記ｅＮｏｄｅＢにおいて、ユーザ機器（ＵＥ）に対する送信のために、ｅＩＭＴＡのために使用される前記ＲＮＴＩ、ｅＩＭＴＡのために使用される前記ＲＮＴＩを含む前記ＰＤＣＣＨを監視するための前記周期の指示値、及びｅＩＭＴＡのために使用される前記ＲＮＴＩを含む前記ＰＤＣＣＨを監視するための前記サブフレームのセットを符号化するように構成される１つ又は複数のプロセッサを備え、
ｅＩＭＴＡのために使用される前記ＲＮＴＩを含む前記ＰＤＣＣＨを監視するための前記サブフレームのセットが定義された数のビットを使用して表され、“１”のビット値は、対応するサブフレーム上のｅＩＭＴＡのために使用される前記ＲＮＴＩを含む前記ＰＤＣＣＨが前記ＵＥにより監視されることになることを示し、“０”のビット値は、対応するサブフレーム上のｅＩＭＴＡのために使用される前記ＲＮＴＩを含む前記ＰＤＣＣＨが前記ＵＥにより監視されないことになることを示す、装置。
【請求項２】
ｅＩＭＴＡのために使用される前記ＲＮＴＩ、ｅＩＭＴＡのために使用される前記ＲＮＴＩを含む前記ＰＤＣＣＨを監視するための前記周期、及びｅＩＭＴＡのために使用される前記ＲＮＴＩを含む前記ＰＤＣＣＨを監視するための前記サブフレームのセットを前記ＵＥに送信するように構成されるトランシーバを更に備える、請求項１に記載の装置。
【請求項３】
ｅＩＭＴＡのために使用される前記ＲＮＴＩ、ｅＩＭＴＡのために使用される前記ＲＮＴＩを含む前記ＰＤＣＣＨを監視するための前記周期、及びｅＩＭＴＡのために使用される前記ＲＮＴＩを含む前記ＰＤＣＣＨを監視するための前記サブフレームのセットを記憶するように構成されるメモリを更に備える、請求項１に記載の装置。
【請求項４】
前記１つ又は複数のプロセッサが、
第２のｅＮｏｄｅＢから受信されるとともに、前記第２のｅＮｏｄｅＢにより利用されるＵＬ−ＤＬ構成を処理し、
前記第２のｅＮｏｄｅＢから受信される前記ＵＬ−ＤＬ構成に基づいて、ｅＩＭＴＡのためのＵＬ−ＤＬ構成を選択するように更に構成される、請求項１に記載の装置。
【請求項５】
ｅＩＭＴＡのために使用される前記ＲＮＴＩを含む前記ＰＤＣＣＨを監視するための前記サブフレームのセットが、システム情報ブロック１（ＳＩＢ１）内のＵＬ−ＤＬ構成により示されるダウンリンクサブフレームを含む、請求項１に記載の装置。
【請求項６】
前記ＳＩＢ１内の前記ＵＬ−ＤＬ構成により示される前記ダウンリンクサブフレームが、時分割複信（ＴＤＤ）のためのものである、請求項５に記載の装置。
【請求項７】
ｅＩＭＴＡのために使用される前記ＲＮＴＩを含む前記ＰＤＣＣＨを監視するための前記周期が、１０ミリ秒（ｍｓ）、２０ｍｓ、４０ｍｓ、又は８０ｍｓのうちの１つである、請求項１に記載の装置。
【請求項８】
拡張型干渉軽減及びトラフィック適応（ｅＩＭＴＡ）を実行するように動作可能なユーザ機器（ＵＥ）の装置であって、当該装置が、
前記ＵＥにおいて、ｅＮｏｄｅＢから受信されるとともに、
ｅＩＭＴＡのために使用される無線ネットワーク一時識別子（ＲＮＴＩ）、
ｅＩＭＴＡのために使用される前記ＲＮＴＩを含む物理ダウンリンク制御チャネル（ＰＤＣＣＨ）を監視するための周期、及び
ｅＩＭＴＡのために使用される前記ＲＮＴＩを含む前記ＰＤＣＣＨを監視するためのサブフレームのセット
を含むｅＩＭＴＡ構成を処理し、
前記ＵＥにおいて、前記ｅＩＭＴＡ構成で示される前記サブフレームのセット内のｅＩＭＴＡのために使用される前記ＲＮＴＩを含む前記ＰＤＣＣＨを監視するように構成される１つ又は複数のプロセッサを備え、
ｅＩＭＴＡのために使用される前記ＲＮＴＩを含む前記ＰＤＣＣＨを監視するための前記サブフレームのセットが定義された数のビットを使用して表され、“１”のビット値は、対応するサブフレーム上のｅＩＭＴＡのために使用される前記ＲＮＴＩを含む前記ＰＤＣＣＨが前記ＵＥにより監視されることになることを示し、“０”のビット値は、対応するサブフレーム上のｅＩＭＴＡのために使用される前記ＲＮＴＩを含む前記ＰＤＣＣＨが前記ＵＥにより監視されないことになることを示す、装置。
【請求項９】
前記ｅＮｏｄｅＢからの前記ｅＩＭＴＡ構成を受信するように構成されるトランシーバを更に備える、請求項８に記載の装置。
【請求項１０】
前記ｅＮｏｄｅＢからの前記ｅＩＭＴＡ構成を記憶するように構成されるメモリを更に備える、請求項８に記載の装置。
【請求項１１】
ｅＩＭＴＡのために使用される前記ＲＮＴＩを含む前記ＰＤＣＣＨを監視するための前記サブフレームのセットが、システム情報ブロック１（ＳＩＢ１）内のＵＬ−ＤＬ構成により示されるダウンリンクサブフレームを含むとともに、前記ＳＩＢ１内の前記ＵＬ−ＤＬ構成により示される前記ダウンリンクサブフレームが、時分割複信（ＴＤＤ）のためのものである、請求項８に記載の装置。
【請求項１２】
ｅＩＭＴＡのために使用される前記ＲＮＴＩを含む前記ＰＤＣＣＨを監視するための前記周期が、１０ミリ秒（ｍｓ）、２０ｍｓ、４０ｍｓ、又は８０ｍｓのうちの１つである、請求項８に記載の装置。
【請求項１３】
前記ＵＥが、アンテナ、表示画面、スピーカ、マイクロホン、グラフィックプロセッサ、アプリケーションプロセッサ、内部メモリ、又は不揮発性メモリポートのうちの少なくとも１つを含む、請求項８に記載の装置。
【請求項１４】
ｅＮｏｄｅＢにおいて拡張型干渉軽減及びトラフィック適応（ｅＩＭＴＡ）を実行するための命令を有する少なくとも１つのコンピュータプログラムであって、前記命令が、前記ｅＮｏｄｅＢにおける１つ又は複数のプロセッサにより実行される場合に、下記の、
前記ｅＮｏｄｅＢにおいて、ｅＩＭＴＡのために使用される無線ネットワーク一時識別子（ＲＮＴＩ）を選択するステップと、
前記ｅＮｏｄｅＢにおいて、ｅＩＭＴＡのために使用される前記ＲＮＴＩを含む物理ダウンリンク制御チャネル（ＰＤＣＣＨ）を監視するための周期を選択するステップと、
前記ｅＮｏｄｅＢにおいて、前記周期内でｅＩＭＴＡのために使用される前記ＲＮＴＩを含む前記ＰＤＣＣＨを監視するためのサブフレームのセットを選択するステップと、
前記ｅＮｏｄｅＢにおいて、ユーザ機器（ＵＥ）に対する送信のために、ｅＩＭＴＡのために使用される前記ＲＮＴＩ、ｅＩＭＴＡのために使用される前記ＲＮＴＩを含む前記ＰＤＣＣＨを監視するための前記周期の指示値、及びｅＩＭＴＡのために使用される前記ＲＮＴＩを含む前記ＰＤＣＣＨを監視するための前記サブフレームのセットを符号化するステップとを実行し、
ｅＩＭＴＡのために使用される前記ＲＮＴＩを含む前記ＰＤＣＣＨを監視するための前記サブフレームのセットが定義された数のビットを使用して表され、“１”のビット値は、対応するサブフレーム上のｅＩＭＴＡのために使用される前記ＲＮＴＩを含む前記ＰＤＣＣＨが前記ＵＥにより監視されることになることを示し、“０”のビット値は、対応するサブフレーム上のｅＩＭＴＡのために使用される前記ＲＮＴＩを含む前記ＰＤＣＣＨが前記ＵＥにより監視されないことになることを示す、少なくとも１つのコンピュータプログラム。
【請求項１５】
実行される場合に、下記の、
第２のｅＮｏｄｅＢから受信されるとともに、前記第２のｅＮｏｄｅＢにより利用されるＵＬ−ＤＬ構成を処理するステップと、
前記第２のｅＮｏｄｅＢから受信される前記ＵＬ−ＤＬ構成に基づいて、ｅＩＭＴＡのためのＵＬ−ＤＬ構成を選択するステップとを実行する命令を更に含む、請求項１４に記載の少なくとも１つのコンピュータプログラム。
【請求項１６】
ｅＩＭＴＡのために使用される前記ＲＮＴＩを含む前記ＰＤＣＣＨを監視するための前記サブフレームのセットが、システム情報ブロック１（ＳＩＢ１）内のＵＬ−ＤＬ構成により示されるダウンリンクサブフレームを含むとともに、前記ＳＩＢ１内の前記ＵＬ−ＤＬ構成により示される前記ダウンリンクサブフレームが、時分割複信（ＴＤＤ）のためのものである、請求項１４に記載の少なくとも１つのコンピュータプログラム。
【請求項１７】
ｅＩＭＴＡのために使用される前記ＲＮＴＩを含む前記ＰＤＣＣＨを監視するための前記周期が、１０ミリ秒（ｍｓ）、２０ｍｓ、４０ｍｓ、又は８０ｍｓのうちの１つである、請求項１４に記載の少なくとも１つのコンピュータプログラム。
【請求項１８】
ユーザ機器（ＵＥ）において拡張型干渉軽減及びトラフィック適応（ｅＩＭＴＡ）を実行するための命令を有する少なくとも１つのコンピュータプログラムであって、前記命令が、前記ＵＥにおける１つ又は複数のプロセッサにより実行される場合に、下記の、
前記ＵＥにおいて、ｅＮｏｄｅＢから受信されるとともに、
ｅＩＭＴＡのために使用される無線ネットワーク一時識別子（ＲＮＴＩ）、
ｅＩＭＴＡのために使用される前記ＲＮＴＩを含む物理ダウンリンク制御チャネル（ＰＤＣＣＨ）を監視するための周期、及び
ｅＩＭＴＡのために使用される前記ＲＮＴＩを含む前記ＰＤＣＣＨを監視するためのサブフレームのセット
を含むｅＩＭＴＡ構成を処理するステップと、
前記ＵＥにおいて、前記ｅＩＭＴＡ構成で示される前記サブフレームのセット内のｅＩＭＴＡのために使用される前記ＲＮＴＩを含む前記ＰＤＣＣＨを監視するステップとを実行し、
ｅＩＭＴＡのために使用される前記ＲＮＴＩを含む前記ＰＤＣＣＨを監視するための前記サブフレームのセットが定義された数のビットを使用して表され、“１”のビット値は、対応するサブフレーム上のｅＩＭＴＡのために使用される前記ＲＮＴＩを含む前記ＰＤＣＣＨが前記ＵＥにより監視されることになることを示し、“０”のビット値は、対応するサブフレーム上のｅＩＭＴＡのために使用される前記ＲＮＴＩを含む前記ＰＤＣＣＨが前記ＵＥにより監視されないことになることを示す、少なくとも１つのコンピュータプログラム。
【請求項１９】
ｅＩＭＴＡのために使用される前記ＲＮＴＩを含む前記ＰＤＣＣＨを監視するための前記サブフレームのセットが、システム情報ブロック１（ＳＩＢ１）内のＵＬ−ＤＬ構成により示されるダウンリンクサブフレームを含むとともに、
前記ＳＩＢ１内の前記ＵＬ−ＤＬ構成により示される前記ダウンリンクサブフレームが、時分割複信（ＴＤＤ）のためのものである、請求項１８に記載の少なくとも１つのコンピュータプログラム。
【請求項２０】
ｅＩＭＴＡのために使用される前記ＲＮＴＩを含む前記ＰＤＣＣＨを監視するための前記周期が、１０ミリ秒（ｍｓ）、２０ｍｓ、４０ｍｓ、又は８０ｍｓのうちの１つである、請求項１８に記載の少なくとも１つのコンピュータプログラム。
【請求項２１】
請求項１４から請求項２０のいずれか一項に記載のコンピュータプログラムを記憶したコンピュータ読み取り可能な記憶媒体。
【発明の詳細な説明】
【背景技術】
【０００１】
「関連出願」
本願は、２０１３年６月２８日に出願され、事件整理番号Ｐ５７４６０Ｚを有する米国仮特許出願第６１／８４１，２３０号に対する優先権を主張するとともに、全ての目的のために、その全体の明細書は、その全体の参照によってここに組み込まれている。本願は、同様に、２０１４年３月２６日に出願され、事件整理番号Ｐ６３５８７を有する米国特許本出願第１４／２２６，２６４号に対する優先権を主張するとともに、全ての目的のために、その全体の明細書は、その全体の参照によってここに組み込まれている。
【０００２】
無線移動体通信技術は、ノード（例えば、伝送ステーション又はトランシーバノード）と無線装置（例えば、移動機）との間でデータを送信するために、様々な標準、及びプロトコルを使用する。いくつかの無線装置は、ダウンリンク（ＤＬ）伝送では直交周波数分割多元接続（ＯＦＤＭＡ）を使用し、そしてアップリンク（ＵＬ）伝送では単一搬送波周波数分割多元接続（ＳＣ−ＦＤＭＡ）を使用して通信する。信号伝送のために直交周波数分割多重方式（ＯＦＤＭ）を使用する標準及びプロトコルは、第３世代パートナーシッププロジェクト（３ＧＰＰ）ロングタームエボリューション（ＬＴＥ）、一般にＷｉＭＡＸ（Worldwide  interoperability  for  Microwave  Access：ワールドワイド・インターオペラビリティ・フォー・マイクロウェーブ・アクセス）として業界団体に知られている米国電気電子学会（ＩＥＥＥ）８０２．１６標準（例えば、８０２．１６ｅ、８０２．１６ｍ）、及び一般にＷｉＦｉとして業界団体に知られているＩＥＥＥ８０２．１１標準を含む。
【０００３】
３ＧＰＰの無線アクセスネットワーク（ＲＡＮ）ＬＴＥシステムにおいて、ノードは、進化型ユニバーサル地上無線アクセスネットワーク（Ｅ−ＵＴＲＡＮ）のＮｏｄｅＢ（同様に、進化型ＮｏｄｅＢ、拡張型ＮｏｄｅＢ、ｅＮｏｄｅＢ、ｅＮＢとして一般に表示される）と、ユーザ装置（ＵＥ）として知られている無線装置と通信する無線ネットワーク制御装置（ＲＮＣ）との組み合わせであり得る。ダウンリンク（ＤＬ）伝送は、ノード（例えば、ｅＮｏｄｅＢ）から無線装置（例えば、ＵＥ）までの通信であり得るとともに、アップリンク（ＵＬ）伝送は、無線装置からノードまでの通信であり得る。
【０００４】
同種ネットワークにおいて、同様にマクロノードと呼ばれるノードは、セル内の無線装置に、基本的な無線カバレージ（wireless  coverage）を提供することができる。セルは、無線装置がマクロノードと通信するように動作可能である領域であり得る。異種ネットワーク（ＨｅｔＮｅｔ）は、無線装置の増加した使用及び機能に起因してマクロノード上で増加したトラフィック負荷を扱うために使用されることができる。ＨｅｔＮｅｔは、マクロノードのカバレージエリア（coverage  area）（セル）内に、あまりよく計画されない方法又は本当に完全に統合されない方法で配置され得る、より低出力のノード（スモール−ｅＮＢ、マイクロ−ｅＮＢ、ピコ−ｅＮＢ、フェムト−ｅＮＢ、又はホームｅＮＢ［ＨｅＮＢ］）のレイヤにより覆われる、計画された高出力マクロノード（又は、マクロ−ｅＮＢ）のレイヤを含むことができる。より低出力のノード（ＬＰＮ）は、一般に、“低出力ノード”、スモールノード、又はスモールセルと呼ばれることができる。
【０００５】
マクロノードは、基本的なカバレージ（coverage）のために使用されることができる。低出力ノードは、ホット−ゾーン（hot-zone）又はマクロノードのカバレージエリア間の境界における収容能力を改善するように、そして建造物が信号伝送を妨げる室内のカバレージを改善するように、カバレージホール（coverage  hole）を埋めるために使用されることができる。セル間干渉調整方法（inter-cell  interference  coordination：ＩＣＩＣ）又は拡張型ＩＣＩＣ（ｅＩＣＩＣ）は、ＨｅｔＮｅｔにおけるマクロノード及び低出力ノードのようなノードの間の干渉を減少させるためのリソース調整方法のために使用され得る。
【０００６】
同種ネットワーク又はＨｅｔＮｅｔは、ＤＬ伝送又はＵＬ伝送に対して時分割複信（ＴＤＤ）を使用することができる。時分割複信（ＴＤＤ）は、時分割多重化（ＴＤＭ）の個々のダウンリンク信号及びアップリンク信号への応用である。ＴＤＤにおいて、ダウンリンク信号及びアップリンク信号は、ダウンリンク信号がアップリンク信号と異なる時間区間（time  interval）を使用する同じ搬送波周波数で伝送され、したがって、ダウンリンク信号及びアップリンク信号は、相互に対して干渉を生成しない。ＴＤＭは、１つの通信チャネルにおいて、ダウンリンク又はアップリンクのような２つ以上のビットストリーム又は信号が、一見したところサブチャネルとして同時に転送されるが、しかし異なるリソース上で物理的に送信されるデジタル多重化の一種である。
【０００７】
本開示の特徴及び利点は、一例として本開示の特徴を一緒に例示する添付図面と共に確認されるあとに続く詳細な説明から明白になるであろう。
【図面の簡単な説明】
【０００８】
【図１】一例による時分割複信（ＴＤＤ）システムにおける動的なアップリンク−ダウンリンク（ＵＬ−ＤＬ）再構成の利用法の図を例示する。
【図２Ａ】一例による様々なトラフィック適応タイムスケールを有する時分割複信（ＴＤＤ）システムを例示する。
【図２Ｂ】一例による様々なトラフィック適応タイムスケールを有する時分割複信（ＴＤＤ）システムを例示する。
【図２Ｃ】一例による様々なトラフィック適応タイムスケールを有する時分割複信（ＴＤＤ）システムを例示する。
【図３】一例による非整列のＵＬ−ＤＬ再構成切換点に起因するアップリンク−ダウンリンク（ＵＬ−ＤＬ）干渉を例示する。
【図４】一例によるダウンリンク制御情報（ＤＣＩ）フォーマットＸの周期性とサブフレームオフセット構成のテーブルである。
【図５Ａ】一例によるダウンリンク制御情報（ＤＣＩ）フォーマットＸ構成の抽象構文表記法（ＡＳＮ）コード例を例示する。
【図５Ｂ】一例によるダウンリンク制御情報（ＤＣＩ）構成インデックスのフィールド記述のテーブルである。
【図６】一例による低出力ノードを有する異種ネットワークにおける協調マルチポイント（ＣｏＭＰ）システムの構成図を例示する。
【図７Ａ】一例による協調マルチポイント（ＣｏＭＰ）シナリオ４におけるダウンリンク制御情報（ＤＣＩ）フォーマットＸ伝送を例示する。
【図７Ｂ】一例による協調マルチポイント（ＣｏＭＰ）シナリオ４におけるダウンリンク制御情報（ＤＣＩ）フォーマットＸ伝送のためのＤＣＩフォーマットＸサブフレームを備えた無線フレームを例示する。
【図８】一例による協調マルチポイント（ＣｏＭＰ）シナリオ４におけるダウンリンク制御情報（ＤＣＩ）フォーマットＸ伝送のための繰り返される伝送パターンを有するＤＣＩフォーマットＸサブフレームを備えた無線フレームを例示する。
【図９】一例による異種ネットワーク（ＨｅｔＮｅｔ）において時分割複信（ＴＤＤ）アップリンク−ダウンリンク（ＵＬ−ＤＬ）再構成を実行するように動作可能な進化型ＮｏｄｅＢ（ｅＮＢ）のコンピュータ回路の機能を描写する。
【図１０】一例による異種ネットワーク（ＨｅｔＮｅｔ）において時分割複信（ＴＤＤ）アップリンク−ダウンリンク（ＵＬ−ＤＬ）再構成を実施するように動作可能なユーザ装置（ＵＥ）のコンピュータ回路の機能を描写する。
【図１１】一例による異種ネットワーク（ＨｅｔＮｅｔ）において時分割複信（ＴＤＤ）アップリンク−ダウンリンク（ＵＬ−ＤＬ）再構成を実行するための方法のフローチャートを描写する。
【図１２】一例による無線装置（例えば、ＵＥ）の図を例示する。
【発明を実施するための形態】
【０００９】
例示された代表的な実施例をここで参照するとともに、ここでは、同じことについて説明するために、特定の言語が使用されることになる。本発明の範囲の限定がそれにより意図されないということが、それでもなお理解されるであろう。
【００１０】
本発明が開示されて、説明される前に、この発明は、ここで開示される、特定の構造、処理ステップ、又は、材料に限定されないが、しかし、関連した技術の当業者により識別されるように、その等価物にまで拡張される、ということが理解されるべきである。ここで使用される用語は、特定の実例を説明するためのみに使用され、そして限定することを意図していない、ということが同様に理解されるべきである。異なる図面における同じ参照符号は、同じ構成要素を表す。フローチャート及び処理において提供される数字は、ステップ及び動作を例示する際に明瞭にするために提供され、特定の順序又はシーケンスを必ずしも示すとは限らない。
【００１１】
「実例の実施例」
技術の実施例の最初の概観が下記で提供され、それから、具体的な技術の実施例があとで更に詳細に説明される。この最初の要約は、読み手が更に迅速に技術を理解するのを援助することを意図しているが、しかし、技術の重要な特色又は本質的な特徴を特定することを意図していないとともに、権利請求された主題の範囲を限定することを意図していない。
【００１２】
異種ネットワーク（ＨｅｔＮｅｔ）のための動的な時分割複信（ＴＤＤ）アップリンク−ダウンリンク（ＵＬ−ＤＬ）再構成スキームがここで説明される。セルクラスタ内の複数の進化型ＮｏｄｅＢ（ｅＮＢ）は、Ｘ２インタフェースを介して、ｅＮＢ間でメッセージを交換し得る。セルクラスタ内のｅＮＢは、選択された範囲内のバックホール待ち時間を有し得る。ｅＮＢ間のメッセージは、ｅＮＢと関連付けられたクラスタメトリクスを含むことができ、ここで、クラスタメトリクスは、セルクラスタ内でｅＮＢにより使用されるＵＬ−ＤＬ構成、各ｅＮＢにより必要とされるＤＬ−ＵＬリソース、及び／又は、ＵＬ伝送方向及びＤＬ伝送方向におけるバッファサイズ、そしてパケット遅延を含み得る。セルクラスタ内のｅＮＢは、クラスタメトリクスを使用して、セルクラスタ内の複数のｅＮＢに対するＴＤＤ  ＵＬ−ＤＬ構成インデックスを選択し得る。すなわち、ｅＮＢは、セルクラスタ内の複数のセルに対して、分散された方法で、統一されたＵＬ−ＤＬ構成を取り決めるために、ｅＮＢ間メッセージ、及びｅＮＢ間メッセージ内のクラスタメトリクスを使用し得る。
【００１３】
ｅＮＢは、セルクラスタ内に位置する少なくとも１つのユーザ装置（ＵＥ）にＴＤＤ  ＵＬ−ＤＬ構成インデックスを送信し得る。ｅＮＢは、ダウンリンク制御情報（ＤＣＩ）フォーマット（すなわち、ここではＤＣＩフォーマットＸと呼ばれる）を使用してＴＤＤ  ＵＬ−ＤＬ構成インデックスを送信することができ、ここで、ＴＤＤ  ＵＬ−ＤＬ構成インデックスは、ＵＥ固有のプライマリセル（ＰＣｅｌｌ）における物理ダウンリンク制御チャネル（ＰＤＣＣＨ）の共通サーチスペース（ＣＳＳ）で送信される。さらに、ｅＮＢは、Ｕｕインタフェースを通して、ビットマップ技術のうちの１つを使用して、又はＤＣＩフォーマットＸの周期性及びサブフレームオフセット構成に従って、再構成ＤＣＩ監視サブフレームをＵＥに通知し得る。その結果、ＵＬ−ＤＬ再構成により構成されたＵＥは、デューティサイクルごとに、構成されたＤＬサブフレームの更に小さなサブセットにおけるＤＣＩフォーマットＸを監視することができ、それにより、ＵＥにおける電力消費の有意の削減を提供する。さらに、瞬間的なＵＬ／ＤＬ比率が各ＴＰのセル内で相関していない場合に、ＣｏＭＰシナリオ４における各個々の送信ポイント（Transmission  Point：ＴＰ）に対して異なるＵＬ／ＤＬ構成をサポートすることが必要とされ得る。したがって、ＣｏＭＰシナリオ４における複数のＴＰに対するＤＣＩフォーマットＸの監視サブフレームは、使用中の独立したＵＬ／ＤＬ構成を示すために、異なるサブフレームに時分割多重され得る。
【００１４】
異種ネットワーク（ＨｅｔＮｅｔ）配置は、従来の同種ネットワークと比べると、セルラカバレージ及び収容能力を増大させる効率的な手段を提供することができるとともに、他の可能な構造上の組み合わせの間で、異なる無線アクセス技術（ＲＡＴ）、送信−受信技術、及び基地局（ＢＳ）又はノード伝送出力の共存を必要とし得る。ＲＡＴは、ＬＴＥ若しくはＩＥＥＥ８０２．１６のような使用されている標準、又は、ＬＴＥバージョン１１、３ＧＰＰ  ＬＴＥ  Ｖ１１．０．０、ＩＥＥＥ８０２．１６ｎ、若しくはＩＥＥＥ８０２．１６ｐのような標準のバージョン（version：変形）を含むことができる。一例において、無線アクセス技術（ＲＡＴ）の標準は、ＬＴＥリリース８、９、１０、１１、又は次のリリースを含むことができる。送信−受信技術は、ダウンリンク（ＤＬ）協調マルチポイント（ＣｏＭＰ）送信、拡張型セル間干渉調整方法（ｅＩＣＩＣ）、及びその組み合わせのような様々な伝送技術を含むことができる。ノード伝送出力は、図１において例示されたように、マクロセルにおけるマクロノード（例えば、マクロ進化型ＮｏｄｅＢ（ｅＮＢ））及びそれぞれのスモールセルにおける複数の低出力ノード（ＬＰＮ又はスモールｅＮＢ）のようなノードタイプにより生成された出力のことを指すことができる。
【００１５】
ＬＴＥ  ＴＤＤシステムは、基地局（ｅＮＢ）及び／又は移動端末（ＵＥ）の間の強いＤＬ−ＵＬセル間干渉を回避するために、同期的に動作し得る。同期的な動作は、ネットワークエリアにおける全てのセルが同じＵＬ−ＤＬ構成を使用することを意味することができ、ここで、ＵＬ−ＤＬ構成はフレーム構成を表し得るとともに、ＤＬ及びＵＬのリソースの量を定義することができ、そして無線フレームにおける排他的なＵＬ／ＤＬ比率と関連付けられる。さらに、フレーム伝送境界は、時間において整列され得る。
【００１６】
同期的な動作は干渉軽減の視点から効果的であるかもしれないが、同期的な動作は、トラフィック適応に関して最適ではないかもしれないとともに、スモールセルにおける知覚されるパケットスループットを著しく悪化させ得る。さらに、標準的なマクロセルエリアに分散された多くの低出力ノードを有するＨｅｔＮｅｔ配置において同じフレーム構成を使用することは、ユーザエクスペリエンス（user  experience）の視点から非能率的であり得る。ＨｅｔＮｅｔ配置におけるトラフィックは、時間ドメイン又はセルドメインにおいて著しく変化し得る。所定の時間インスタンスにおいて、セルの特定のセットは、１つの伝送方向（すなわち、ＤＬ又はＵＬのいずれか）に支配的なトラフィックを有し得るとともに、したがって、追加のスペクトルリソースが支配的なトラフィックの方向において必要とされる。ＨｅｔＮｅｔ配置において、ｅＮＢの間の分離性のレベルは、エンドユーザに対するスモールセルの接近のせいでマクロセル環境と比べるとより高いかもしれない。その結果、ｅＮＢの比較的大きな部分が、分離されたセルと考えられ得る。これらの分離されたセルは、瞬間的なトラフィック状態に適応するために、ＵＬ−ＤＬ構成を変更し得る。一方、相互に比較的近くに位置するスモールセルは、ｅＮＢリンクによる強い結合を経験し得る。強い結合は、近隣のセルのＵＬ受信に干渉を引き起こす１つのセルにおけるＤＬ伝送をもたらし得る。
【００１７】
セル−クラスタリングは、スモールセルにおけるＤＬ−ＵＬ干渉軽減を解決することに対する効果的な解決法であり得る。セルクラスタリングにおいて、連結されたセルのセットは、セルクラスタに統合され得るとともに、ジョイントトラフィック適応（joint  traffic  adaptation）がスモールセルの間で実行され得る。全てのセルからのトラフィック状態に関する情報がｅＮＢスケジューラに利用可能であるように、連結されたセルが同じｅＮＢによりサーブされる場合に、セルクラスタリングは効率的であり得る。ｅＮＢスケジューラは、比較的速いタイムスケールで最適なフレーム構成を判定し得る。しかしながら、連結されたスモールセルは、同じｅＮＢにより制御されないかもしれない。連結されたスモールセルが同じｅＮＢにより制御されない場合に、連結されたスモールセルに対して中央集権化された解決法が利用不可能であるかもしれないので、セルの間でスケジューリングの決定を統合することは難しくなるかもしれない。３ＧＰＰテクニカルレポート（ＴＲ）ＴＲ３６．９３２において更に詳細に論じられるように、もし適応タイムスケール（例えば、１０ミリセカンド（ｍｓ）のＵＬ−ＤＬ再構成期間）がバックホール待ち時間（例えば、４０ｍｓ〜１６０ｍｓ）より小さいならば、同じＵＬ−ＤＬ構成を選択することにより、動的なトラフィック適応が実行され得る。この場合、動的なＵＬ−ＤＬ再構成は、近隣のセルにおける反対の伝送方向を有するサブフレームにおいて、強いＤＬ−ＵＬ干渉を引き起こし得る。
【００１８】
バックホール待ち時間は、連結されたｅＮＢの間のフレーム構成に関する意思決定を複雑にし得る。もしセルの間の調整がないならば、バックホール待ち時間は、同様に、ＤＬ−ＵＬ干渉の制御を複雑にし得る。連結されたセルが１０ｍｓのトラフィック適応タイムスケールを越えるバックホール待ち時間によって接続される場合に、ＤＬ−ＵＬ干渉の緩和問題は、トラフィック適応を禁止することにより解決されるかもしれないが、そのようなアプローチは、トラフィック適応の視点から非能率的であり得る。ここでより詳細に説明されたように、ＵＬ−ＤＬ再構成タイムスケールは、バックホール待ち時間の特性に合わせられ得る。この場合、セル−クラスタリングは、より低いタイムスケールで適用される可能性があるとともに、ネットワークは、セルのうちの１つがＤＬ−ＵＬ干渉に関して加害者になる状況を回避する可能性があり、それにより、ＵＬの性能経験に劣化を引き起こす。
【００１９】
システム情報ブロック（ＳＩＢ）、ページング、無線リソース制御（ＲＲＣ）、メディアアクセス制御（ＭＡＣ）シグナリング、Ｌ１シグナリング、及び異なるトラフィック適応タイムスケールの特性を含む多くのシグナリングオプションが、拡張型干渉軽減＆トラフィック適応（enhanced  Interference  Mitigation  &  Traffic  Adaptation：ｅＩＭＴＡ）に関して論じられた。ＵＬ／ＤＬ再構成のシグナリングは、より低い制御オーバヘッドに起因して、ここでは（ｅ）ＰＤＣＣＨと呼ばれる、ＵＥグループに共通の拡張物理ダウンリンク制御チャンネル（ｅＰＤＣＣＨ）又は物理ダウンリンク制御チャンネル（ＰＤＣＣＨ）により、再構成の明示的なＬ１シグナリングを使用し得る。ＵＥグループに共通の（ｅ）ＰＤＣＣＨ（UE-group-common  (e)PDCCH）は、制御情報のためにＵＥのグループにより一般に監視される、拡張制御チャネル要素（enhanced  Control  Channel  Element：ｅＣＣＥ）又は制御チャネル要素（ＣＣＥ）のことを指し得る。（ｅ）ＰＤＣＣＨが使用される場合に、ＵＥグループに共通の（ｅ）ＰＤＣＣＨによるダウンリンク制御情報（ＤＣＩ）キャリアは、ここでは共通のＤＣＩと呼ばれ得る。
【００２０】
しかしながら、ＵＥグループに共通の（ｅ）ＰＤＣＣＨにより再構成の明示的なＬ１シグナリングを使用することは、いくつかの潜在的な問題をもたらす。ＵＥが共通のＤＣＩの存在を知らず、そして共通のＤＣＩのサイズが現存するＤＣＩと比較して異なる場合に、ＵＥグループに共通の（ｅ）ＰＤＣＣＨ上で行われる追加の盲目的な検出の試みに起因して、より高い電力消費が予想され得る。ＵＥ側における電力消費をより最適化するため、そしてセルそれ自身の瞬間的なセル固有のトラフィックに従って共通のＤＣＩ伝送サブフレームを通してＵＬ／ＤＬ構成を弾力的に構成するネットワーク能力を改善するためなどに、いくつかのメカニズムが開発されることが必要とされ得る。
【００２１】
さらに、明示的なＬ１シグナリングを使用することは、協調マルチポイント（ＣｏＭＰ）シナリオ４をサポートしないかもしれない。ＣｏＭＰシナリオ４において、マクロポイントのカバレージエリア内の全ての送信ポイント（例えば、マクロノード、ピコノード、リモート無線ヘッド、及び低出力ノード）は、同じ物理的なセル識別子（セル−ＩＤ）を共有し得る。異なるＴＰカバレージでは瞬間的なトラフィック状態が異なるかもしれないので、スループット性能を最大限にするために、異なる地理的位置における通信ポイント（ＴＰ）に対する独立したＵＬ／ＤＬ構成をサポートすることは、望ましいかもしれない。
【００２２】
デューティサイクル及びサブフレームオフセットの設定可能で同期化された構成を有する動的なＵＬ−ＤＬ再構成がここで説明される。ＵＬ−ＤＬ再構成は、異なるバックホール特性を有する様々な実用的なシナリオで使用され得る。さらに、ＵＬ−ＤＬ再構成は、ＵＥにおける電力消費レベルを削減し得るとともに、ＣｏＭＰシナリオ４における異なるＲＲＨに対する独立したＵＬ／ＤＬ再構成を可能にし得る。したがって、提案されたＵＬ−ＤＬ再構成スキームは、電力効率の良いＵＬ／ＤＬ再構成指示、及び動的なＴＤＤ  ＵＬ／ＤＬ再構成のためのＣｏＭＰシナリオ４サポートを達成する。
【００２３】
図１は、時分割複信（ＴＤＤ）を使用した異なるノード伝送出力を有する層状のＨｅｔＮｅｔ配置を例示する。ここで使用されるように、セルは、ノード又はノードのカバレージエリアのことを指す。低出力ノード（ＬＰＮ）は、スモールｅＮＢ、マイクロｅＮＢ、ピコノード、ピコｅＮＢ、フェムトｅＮＢ、ホームｅＮＢ（ＨｅＮＢ）、リモート無線ヘッド（remote  radio  head：ＲＲＨ）、リモート無線装置（remote  radio  equipment：ＲＲＥ）、又はリモート無線ユニット（remote  radio  unit：ＲＲＵ）を含むことができる、スモールノードのことを指し得る。ここで使用されるように、実例において、マクロノードとＬＰＮ又はスモールノードとを区別するとともに、マクロセルとスモールセルとを区別するのを支援するために、用語“スモールノード”は、用語“ピコノード（又は、ピコｅＮＢ）”と互換的に使用され得るとともに、用語“スモールセル”は、用語“ピコセル”と互換的に使用され得る。マクロノードは、Ｘ２インタフェース又は光ファイバ接続を使用して、バックホールリンクを通して各ＬＰＮに接続されることができる。
【００２４】
マクロノードは、マクロセルをカバーするために、高出力レベル、例えば約５ワット（Ｗ）から４０Ｗで送信することができる。ＨｅｔＮｅｔは、約１００ミリワット（ｍＷ）から２Ｗのような実質的に低い電力レベルで送信し得る低出力ノード（ＬＰＮ）により覆われることができる。一例において、マクロノードの利用可能な送信電力は、低出力ノードの利用可能な送信電力の少なくとも１０倍であり得る。ＬＰＮは、高い無線トラヒック負荷又は活発に送信する多量の無線装置（例えば、ユーザ装置（ＵＥ））を有する領域のことを指している、ホットスポット又はホット−ゾーンにおいて使用されることができる。ＬＰＮは、マイクロセル、ピコセル、フェムトセル、及び／又はホームネットワークにおいて使用されることができる。フェムト＿セル０は、無線装置（例えば、ＵＥ）によるダウンリンクトラフィックの頻繁な使用を例示するとともに、フェムト＿セル１は、無線装置によるアップリンクトラフィックの頻繁な使用を例示する。
【００２５】
異なるセルにおけるトラフィック状態に応じた適応的なＵＬ−ＤＬ構成を可能にすることは、いくつかの実例において、システム性能を著しく改善することができる。図１は、異なるＵＬ−ＤＬ構成が異なるセルで検討されることができる実例を例示する。ネットワーク（例えば、ＨｅｔＮｅｔ又は同種ネットワーク）は、単一のオペレータ又は異なるオペレータにより同じ帯域内に配置されるとともに、同じか又は異なるアップリンク−ダウンリンク（ＵＬ−ＤＬ）構成のいずれかを使用する同じ搬送波又は異なる搬送波を含むことができる。可能であれば、干渉は、隣接チャネル干渉（異なる搬送波周波数が使用される場合）の他に、リモートノードツーノード（node-to-node）干渉（又は、ＢＳツーＢＳ（BS-to-BS）干渉若しくはｅＮＢツーｅＮＢ（eNB-to-eNB）干渉）のような同一チャネル干渉（同じ搬送波周波数が使用される場合）を含み得る。
【００２６】
レガシーＬＴＥ  ＴＤＤ（Legacy  LTE  TDD）は、７つの異なる半静的に構成されたアップリンク−ダウンリンク構成を提供することにより、非対称的なＵＬ−ＤＬ割り当てをサポートすることができる。テーブル１は、ＬＴＥにおいて使用される７つのＵＬ−ＤＬ構成を例示し、ここで、“Ｄ”はダウンリンクサブフレームを表し、“Ｓ”はスペシャルサブフレームを表すとともに、“Ｕ”はアップリンクサブフレームを表す。一例において、スペシャルサブフレームは、“打ち切られた”ダウンリンクサブフレームとして機能することができるか、又は“打ち切られた”ダウンリンクサブフレームとして扱われることができる。
【００２７】
【表１】
0006382378.tif 000002
【００２８】
テーブル１により例示されたように、ＵＬ−ＤＬ構成０は、サブフレーム２、３、４、７、８、及び９における６つのアップリンクサブフレームと、サブフレーム０、１、５、及び６における４つのダウンリンク及びスペシャルサブフレームを含むことができ、そしてＵＬ−ＤＬ構成５は、サブフレーム２における１つのアップリンクサブフレームと、サブフレーム０、１、及び３〜９における９つのダウンリンク及びスペシャルサブフレームを含むことができる。
【００２９】
いくつかの実例における内在する要求として、ネットワークの全てのセルは、干渉を回避するために、同期的にＵＬ−ＤＬ（ＴＤＤ）構成を変更する。しかしながら、そのような要求は、ネットワークの異なるセルにおけるトラフィック管理能力を抑制し得る。テーブル１において示されたように、レガシーＬＴＥ  ＴＤＤセットの構成は、４０％と９０％との間の範囲においてＤＬサブフレーム割り当てを提供することができる。無線フレームの中のＵＬ及びＤＬサブフレーム割り当ては、システム情報一斉送信シグナリング（例えば、システム情報ブロック［ＳＩＢ］）を通して再構成されることができる。したがって、１度構成されたＵＬ−ＤＬ割り当ては、半静的に変更されることが予測され得る。
【００３０】
あらかじめ設定されたか又は半静的に構成されたＵＬ−ＤＬ構成は瞬間的なトラフィック状況に適合しないかもしれず、それは、特に多量のデータをダウンロードするか又はアップロードする少しのユーザを有するセルにおいて、非能率的なリソース活用をもたらし得る。適応的なＵＬ−ＤＬ構成は、セル依存のトラフィックの不釣合いに対処し、そして瞬間的なトラフィック状況に適合するために使用されることができるが、しかし、もし考慮されないならば、異なるタイプの干渉を生成し得る。異なるセルにおいて異なるＵＬ−ＤＬ構成を有するそのような時分割ＬＴＥ（ＴＤ−ＬＴＥ）配置に関して、非対称的なＵＬ−ＤＬ構成に起因する新しいタイプの干渉は、ノードツーノード（又は、ＢＳツーＢＳ）干渉及びＵＥツーＵＥ（UE-to-UE）干渉を含むことができ、それは、ここで説明された様々なメカニズムを使用して緩和されることができる。セル間ＵＬ−ＤＬ（ノードツーノード）干渉の影響は、異なるセルにおけるＵＬ−ＤＬ構成の適応性から獲得された利益を著しく減少させ得る。
【００３１】
ここで説明されたように、動的なアップリンク−ダウンリンク（ＵＬ−ＤＬ）再構成スキームは、設定可能で同期化されたデューティサイクルを含むことができ、したがって、動的なＵＬ−ＤＬ再構成は、異なるバックホール特性を有する様々な実用的なシナリオで使用され得る。
【００３２】
図２Ａ〜図２Ｃは、様々なトラフィック適応タイムスケールを有する代表的な時分割複信（ＴＤＤ）システムを例示する。図２Ａは、１０ミリセカンド（ｍｓ）の適応タイムスケールを有する分離されたセルを例示する。図２Ａは、ＵＥとｅＮＢとの間のサービングリンクによるダウンリンク又はアップリンク（ＤＬ／ＵＬ）信号伝送を例示する。図２Ｂは、４０ｍｓのトラフィック適応タイムスケールを有する分離されたセルクラスタを例示する。図２Ｂは、第１のｅＮＢと第２のｅＮＢとの間の低い経路損失を有するｅＮＢ−ｅＮＢ伝搬リンクを例示する。さらに、図２Ｂは、ＵＥとｅＮＢとの間のＤＬ又はＵＬセル間干渉を例示する。図２Ｃは、８０ｍｓのトラフィック適応タイムスケールを有する分離されたセルクラスタを例示する。図２Ｃは、第１のｅＮＢと第２のｅＮＢとの間の低い経路損失を有するｅＮＢ−ｅＮＢ伝搬リンクを例示する。さらに、図２Ｃは、ＵＥとｅＮＢとの間のＤＬ又はＵＬセル間干渉を例示する。
【００３３】
バックホール待ち時間の特性は、概してネットワークオペレータに知られているかもしれない。オペレータに制御されたネットワークにおける一方向のバックホール待ち時間は、５ｍｓ（例えば、ファイバアクセス１）から６０ｍｓ（例えば、ＤＳＬ技術）までの範囲にあり得る。したがって、分離されたセル、及びセルクラスタに統合される連結されたセル（例えば、２つの連結されたセル）のための異なるＵＬ−ＤＬ再構成期間が仮定され得る。例えば、１０ｍｓ、４０ｍｓ、８０ｍｓ、又は１６０ｍｓの期間が、連結されたｅＮＢをつなぐ異なるタイプのバックホールリンクのために仮定され得る。したがって、複数の再構成期間がサポートされ得る。その結果、分離されたセルは、１０ｍｓの適応タイムスケールにより構成され得るとともに、連結されたセルから構成されたセルクラスタは、更に低い／高い適応タイムスケールにより構成され得る。クラスタにおけるトラフィック適応タイムスケールは、セルクラスタ内のセルの数及びバックホール待ち時間の特性を含む複数の要因によって変わり得る。
【００３４】
したがって、セルクラスタ内の複数のｅＮＢに対するＴＤＤ  ＵＬ−ＤＬ構成インデックスは、定義された周期性に従って選択されることができ、ここで、定義された周期性は、セルクラスタ内の複数のｅＮＢのバックホール待ち時間に基づいているとともに、１０ミリセカンド（ｍｓ）、２０ｍｓ、４０ｍｓ、及び８０ｍｓを含む。ＵＬ−ＤＬ再構成期間に関する情報は、Ｘ２インタフェースを介して、セルに伝達され得るとともに、ネットワークオペレータにより事前設定され得る。
【００３５】
図３は、非整列のＵＬ−ＤＬ再構成切換点に起因するアップリンク−ダウンリンク（ＵＬ−ＤＬ）干渉を例示する。ＤＬ−ＵＬ干渉の緩和のために、セル−クラスタリングをベースにした技術を使用する場合に、ＵＬ−ＤＬ再構成期間を決定することに加えて、ＤＬ−ＵＬ干渉を回避するために、ＵＬ−ＤＬ再構成が同期的に実行され得る。すなわち、ＵＬ−ＤＬ再構成は、時間における同じフレームインスタンスにおいて実行され得る。図３において示されたように、連結されたｅＮＢにおいて異なる切換点を有することは、ＤＬ−ＵＬ干渉をもたらし得る。したがって、ＵＬ−ＤＬ再構成切換点を同期化するために、各セルが時間において同期的にＵＬ−ＤＬ構成を更新するように、システムフレーム番号（ＳＦＮ）カウンタが使用され得る。すなわち、ＤＬ−ＵＬ干渉を回避するために、ＵＬ−ＤＬ再構成期間は、時間において整列され得る。ＳＦＮカウンタは、周期性を法として余りがゼロであるＳＦＮを有する無線フレームを制御するために使用されることができ、ここで、ＴＤＤ  ＵＬ−ＤＬ構成がセルクラスタ内でｅＮＢにより同期的に更新されるように、ＴＤＤ  ＵＬ−ＤＬ構成インデックスは、セルクラスタ内のｅＮＢにより適用される。
【００３６】
無線で適用されるべき実際のＵＬ−ＤＬ構成に関して同じ分散された決定を行うために、分散されたプロトコルが使用され得る。セルは、クラスタにおける連結されたセルの間で、各伝送方向に対するトラフィック状態についての情報を交換し得る。すなわち、セルクラスタ内の複数のｅＮＢに対するＴＤＤ  ＵＬ−ＤＬ構成インデックスは、クラスタメトリクスに基づいて選択されることができ、ここで、クラスタメトリクスは、Ｘ２インタフェースを介して、セルクラスタ内の複数のｅＮＢの間で交換される。一例として、セルクラスタは、第１のｅＮＢ、第２のｅＮＢ、及び第３のｅＮＢを含み得る。第１のｅＮＢは、第２のｅＮＢ、及び第３のｅＮＢに、第１のｅＮＢと関連付けられたクラスタメトリクスを送信し得る。同様に、第１のｅＮＢは、第２のｅＮＢ、及び第３のｅＮＢから、クラスタメトリクスを受信し得る。
【００３７】
ｅＮＢの間で交換されるクラスタメトリクスの実例は、ＤＬ及びＵＬパケットスループットと結合されたＤＬ及びＵＬバッファステータスを含み得る。さらに、セルは、次の再構成周期に対する好ましいＵＬ−ＤＬ構成に関する情報を交換し得る。この情報は、ＤＬ及びＵＬトラフィック要求の概略の量子化された測定値と考えられ得る。
【００３８】
ＵＬ−ＤＬ構成のレガシーセットは、ＤＬサブフレームとＵＬサブフレームとの間の下記の割合、４：６、５：５、６：４、７：３、８：２、９：１をサポートする。このセットは、０：１０、１：９、２：８、３：７、４：６、１０：０を加えることにより、可能な割合の全セットをカバーするように拡張され得る。もし好ましいＵＬ−ＤＬ構成がＸ２インタフェースを介して交換されるならば、その場合に、セルは、トラフィック適応を実行するために、予め定義された方針のうちの１つを適用し得る。例えば、各セルは、全ての受信されたＵＬ−ＤＬ構成の中から、ＤＬサブフレームの最小値を有するＵＬ−ＤＬ構成を選択し得る。その代りに、セルは、全てのセルにおいて適用され得るＤＬサブフレームの平均数を選択することにより、ＤＬ／ＵＬ平衡化構成（DL/UL  balanced  configuration）を選択し得る。
【００３９】
連結されたｅＮＢに同じＴＤＤ構成を選択するように強制するために、各ｅＮＢにおいて、下記の分散された決定が実行されることができる。
tddConfiglndex＝decisionFunction（Ml，M2，...，MN）
ここで、tddConfiglndexは、選択されたＵＬ−ＤＬ構成インデックスであり、Miは、セルクラスタ内のｅＮＢの間で交換されたクラスタメトリクスであるとともに、decisionFunctionは、新しいＵＬ−ＤＬ構成について決定するためのアルゴリズムである。ｅＮＢがクラスタメトリクスの等しい集合を受信し得るので、上述のアルゴリズムは、セルクラスタ内のｅＮＢに対して等しいＴＤＤ構成インデックスを計算することができ、したがって伝送方向を調整することができる。
【００４０】
いくつかの実例において、セルクラスタ内のｅＮＢの間で交換されるクラスタメトリクスは、それらに限定されないが、ＵＬ−ＤＬ構成、必要とされるＤＬ／ＵＬリソースの相対量、ＵＬ及びＤＬにおけるバッファサイズ、及びパケット遅延を含み得る。さらに、上記で説明された決定関数は、報告されたクラスタメトリクスの平均値に対応するＴＤＤ構成を選択し得るか、又は、選択されたＴＤＤ構成は、報告されたクラスタメトリクスの最大値（又は、最小値）に対応し得る。
【００４１】
設定可能なタイムスケールを有する動的なＵＬ−ＤＬ再構成をサポートするために、シグナリングがＵＥ端末に提供され得る。すなわち、シグナリングは、電力効率の良いＴＤＤ  ＵＬ−ＤＬ再構成指示のためのものであり得る。ｅＮＢは、セルクラスタの中に位置する１つ又は複数のＵＥに対してＴＤＤ  ＵＬ−ＤＬ構成インデックスを送信し得る。シグナリングは、上記で説明されたＤＬ−ＵＬ干渉の緩和スキーム（すなわち、セル−クラスタリング）から独立して考察され得るとともに、ＵＥの電力消費を削減し、システムオーバヘッドを減少させ、リンク適応を改善し、受信の信頼性を増加させ、そして持続的なトラフィック適応決定を提供するために適用され得る。
【００４２】
ＵＬ／ＤＬ再構成をサポートするために、ここではＤＣＩフォーマットＸと呼ばれる新しいダウンリンク制御情報（ＤＣＩ）フォーマットが、ＵＬ／ＤＬ再構成指示のために使用され得る。ＤＣＩフォーマットＸは、ＵＬ／ＤＬ再構成指示のために使用される、対応する共通のＤＣＩのＤＣＩフォーマットであり得る。ＴＤＤ  ＵＬ−ＤＬ構成インデックスは、ＵＥグループに共通の拡張物理ダウンリンク制御チャンネル（ＥＰＤＣＣＨ）又は物理ダウンリンク制御チャンネル（ＰＤＣＣＨ）により送信され得る。
【００４３】
ＤＣＩフォーマットＸ伝送は、設定可能なデューティサイクル及びサブフレームオフセットデザインを含み得る。設定可能なＤＣＩフォーマットＸ伝送サブフレームは、例えば、ＵＬ−ＤＬ再構成により構成されたＵＥが、デューティサイクルごとに、構成されたＤＬサブフレームの更に小さなサブセットにおけるＤＣＩフォーマットＸのみを監視することができ、それにより電力消費の有意の削減を提供するような、いくらかの利点を提供し得る。さらに、異なるＵＬ／ＤＬ構成を有するＣｏＭＰシナリオ４をサポートするために、異なるＤＣＩフォーマットＸが必要とされ得る。したがって、下記で更に詳細に説明されるように、ＣｏＭＰシナリオ４における異なるリモート無線ヘッド（ＲＲＨ）のためのＤＣＩフォーマットＸは、独立したＵＬ／ＤＬ構成を示すために使用されるべき異なるサブフレームに時分割多重されるように構成され得る。
【００４４】
誤った検出の可能性を減少させ、そして不必要な盲目的な復号の試みを回避するために、ＤＣＩフォーマットＸは、全てのレガシーＵＬ／ＤＬ構成におけるダウンリンク伝送のために使用されるサブフレームだけで送信され得る。すなわち、ＤＣＩフォーマットＸは、各フレームにおけるサブフレーム＃０、＃１、＃５、及び＃６において送信されることを許可され得る。ＤＣＩフォーマットＸの周期性は、設定可能であり得るとともに、予め定義された可能な構成のセットとして表され得る。
【００４５】
図４は、ダウンリンク制御情報（ＤＣＩ）フォーマットＸの周期性とサブフレームオフセット構成の代表的なテーブルである。セルクラスタ内のｅＮＢからＵＥまでＤＣＩフォーマットＸを送信するための周期性は、図４において示されたように、ＴＤＤシステムにおいて１０ｍｓから８０ｍｓまで変化し得る。ＤＣＩフォーマットＸ構成ＩＤＣＩは、０から１５まで変動し得る。ＤＣＩフォーマットＸ構成ＩＤＣＩは、バイナリフォーマット（例えば、００００、０１０１、及び１００１）で表され得る。構成期間ＴＤＣＩは、１０サブフレームから８０サブフレームまで変動し得る。さらに、伝送オフセットは、０サブフレームから３サブフレームまで変動し得る。
【００４６】
ｅＮＢは、Ｕｕインタフェースを通して、図４において示された代表的なテーブル、又はビットマップ技術を使用して、再構成ＤＣＩ監視サブフレームをＵＥに通知し得る。Ｘ−ビットのビットマップは、システム情報ブロックタイプ１（ＳＩＢ１）ダウンリンク又はスペシャル（ＤＬ／Ｓ）サブフレーム（ＳＩＢ−１ＤＬ／Ｓサブフレーム）のセットを示し得る。最上位ビット（ＭＳＢ）から始まって最下位ビット（ＬＳＢ）まで、ビットマップは、サブフレーム番号｛［Ｘａ，Ｘｂ，Ｘｃ，．．．，］｝に対応する。ビット“１”は、ＵＥが対応するサブフレームにおける再構成ＤＣＩを監視することになっていることを示し得るとともに、ビット“０”は、ＵＥが対応するサブフレームにおける再構成ＤＣＩを監視しないことになっていることを示し得る。
【００４７】
再構成信号の周期性は、１０ｍｓ、２０ｍｓ、４０ｍｓ、又は８０ｍｓを含み得る。ＵＥは、ＳＩＢ１において示されたＵＬ／ＤＬ構成に従ってダウンリンクサブフレーム又はスペシャルサブフレームにおいて再構成信号を監視し得る。ＵＥは、２つの隣接する周期的なインスタンスの間の１つより多いサブフレームにおいて再構成信号を監視するように構成され得る。検出された構成は、再構成信号の周期性に等しい継続期間を有する窓に対して有効であり得る。ＵＥは、２つ以上の再構成信号に対して、もし２つ以上の再構成信号が再構成信号の周期性に等しい継続期間の窓内のサブフレームにおいて検出されるならば、同じ構成を用い得る。さらに、ＵＥは、異なる窓を横断するサブフレームにおいて検出された再構成信号に対して同じ構成を用いないかもしれない。
【００４８】
図５Ａは、ダウンリンク制御情報（ＤＣＩ）フォーマットＸ構成の抽象構文表記法（ＡＳＮ）コード例を例示する。図５Ｂは、ダウンリンク制御情報（ＤＣＩ）構成インデックスのフィールド記述のテーブルである。ＤＣＩフォーマットＸ伝送の構成は、４ビットのＵＥ固有のパラメータを独立して使用して、各サービングセルに対するＵＥ固有の専用のＲＲＣシグナリングを通じてｅＮＢにより示され得る。図５Ａにおいて示されたように、ＤＣＩ構成インデックスは、０から１５まで変動し得る。図５Ｂにおいて示されたように、ＤＣＩ構成インデックスは、ＩＤＣＩパラメータを含むことができ、ここで、ＩＤＣＩは、ＴＤＤシステムに適用されるＤＣＩフォーマットＸ構成に関して定義される。
【００４９】
ＵＬ／ＤＬ再構成は、限られた数のＵＥがサーブされるべきトラフィックを有している典型的な拡張型干渉軽減＆トラフィック適応（Enhanced  Interference  Mitigation  &  Traffic  Adaptation：ｅＩＭＴＡ）シナリオに特に有益であるので、ＵＬ−ＤＬ再構成指示のためのシグナリングオーバヘッドは最小であり得る。ＤＣＩフォーマットＸ伝送の構成が受信されない場合に、ＵＥは、システム情報ブロック１（ＳＩＢ１）において示されたＵＬ／ＤＬ構成か、又はＤＣＩフォーマットＸ伝送により示された最後のＵＬ／ＤＬ構成のいずれかである、フォールバック構成に従い得る。
【００５０】
図６は、マクロセルのカバレージエリア内に低出力ノード（ＬＰＮ）を有するＣｏＭＰシステムの一例を例示する。図６は、ＬＴＥ  ＣｏＭＰシナリオ３及び４を例示することができる。図６において例示されたサイト内（intra-site）ＣｏＭＰの実例において、マクロノード６１０ＡのＬＰＮ（又は、ＲＲＨ）は、空間における異なる場所に位置付けられ得るとともに、ＣｏＭＰ調整は、単一のマクロセルの中にあり得る。調整エリア６０４は、ｅＮＢ６１０Ａ及びＬＰＮ６８０Ｎ〜Ｓを含むことができ、ここで、各ＬＰＮは、ｅＮＢとバックホールリンク６３２（光学リンク又は有線リンク）を通して通信するように構成されることができる。マクロノードのセル６２６Ａは、サブ−セル６３０Ｎ〜Ｓに更に細分化され得る。ＬＰＮ（又は、ＲＲＨ）６８０Ｎ〜Ｓは、サブ−セルのための信号を送信し得るとともに受信し得る。無線装置６０２は、サブ−セルの端（又は、セル−エッジ）に存在することができ、そしてサイト内ＣｏＭＰ調整は、ＬＰＮ（若しくは、ＲＲＨ）の間で、又は、ｅＮＢとＬＰＮとの間で発生し得る。ＣｏＭＰシナリオ３において、マクロセルカバレージエリア内で送信／受信ポイントを提供する低出力ＲＲＨは、マクロセルと異なるセルＩＤを有することができる。ＣｏＭＰシナリオ４において、マクロセルカバレージエリア内で送信／受信ポイントを提供する低出力ＲＲＨは、マクロセルと同じセルＩＤを有することができる。
【００５１】
図７Ａは、協調マルチポイント（ＣｏＭＰ）シナリオ４におけるダウンリンク制御情報（ＤＣＩ）フォーマットＸ伝送を例示する。マクロ−セルカバレージ内の同じセルＩＤを有する低出力リモート無線ヘッド（remote  radio  head：ＲＲＨ）からのＤＣＩフォーマットＸ伝送は、ＲＲＨと関連付けられた瞬間的トラフィックに応じて、それらを同じデューティサイクル又は異なるデューティサイクルと一緒に異なるサブフレームオフセットに割り当てることにより、時間−ドメインで多重化され得る。図７Ａは、ＤＣＩフォーマットＸの周期性及びサブフレームオフセットを設定することを例示する。２つのＲＲＨ、すなわち、送信ポイント１（ＴＰ１）及びＴＰ２は、同じセルＩＤ（例えば、セルＩＤ０）を有するマクロ調整エリア（macro  coordination  area）の中にあり得る。ステップ１において、ＵＬ−ＤＬ再構成サポートのＵＥ能力を受信すると、ステップ２において、ネットワークは、ＵＥの地理的位置に従って、各ＵＥに対してＤＣＩフォーマットＸサブフレーム構成を示し得る。図７Ａにおいて示された実例において、ネットワークは、インデックス０を有する専用ＲＲＣ構成を、ＴＰ０のすぐ近くに位置するＵＥに対して送信し得る。さらに、ネットワークは、インデックス２を有する専用ＲＲＣ構成を、ＴＰ１のすぐ近くに位置するＵＥに対して送信し得る。その結果、ネットワークは、ＴＰ０及びＴＰ１に関連付けられた瞬間的なトラフィック状態に応じて、ＴＰ０及びＴＰ１に対して、別々に、弾力的で独立したＵＬ−ＤＬ構成を利用し得る。
【００５２】
ＤＣＩフォーマットＸは、高い信頼性により（例えば“１ｅ−５”及び“１ｅ−６”の範囲のＤＣＩ復号化誤り率により）受信されることを必要とされ得るので、ＤＣＩフォーマットＸは、一定の繰返し期間（例えば、５ｍｓ又は１０ｍｓ）内に繰り返して送信され得る。繰返しメカニズムは、同様に、ネットワーク側の適切な構成選択により、設定可能なＤＣＩフォーマットＸの周期性及びオフセットとともに使用され得る。
【００５３】
図７Ｂは、協調マルチポイント（ＣｏＭＰ）シナリオ４におけるダウンリンク制御情報（ＤＣＩ）フォーマットＸ伝送のためのＤＣＩフォーマットＸサブフレームを備えた無線フレームを例示する。図７Ｂにおいて示されたように、ＤＣＩフォーマットＸ伝送は、無線フレームの第１のサブフレームにおける構成インデックス０を有する、ＴＰ０のためのＤＣＩフォーマットＸサブフレームを含み得る。さらに、ＤＣＩフォーマットＸ伝送は、無線フレームの第６のサブフレームにおける構成インデックス２を有する、ＴＰ１のためのＤＣＩフォーマットＸサブフレームを含み得る。
【００５４】
図８は、協調マルチポイント（ＣｏＭＰ）シナリオ４におけるダウンリンク制御情報（ＤＣＩ）フォーマットＸ伝送のための繰り返される伝送パターンを有するＤＣＩフォーマットＸサブフレームを備えた無線フレームを例示する。ＤＣＩフォーマットＸは、５ｍｓごとに２度送信され得る。一例として、ＴＰ０及びＴＰ１における独立したＵＬ／ＤＬ構成設定を達成するために、ネットワークは、ＤＣＩフォーマットＸ伝送のための構成インデックス０及び２を適切に選択し得る。５ｍｓの繰り返される伝送デザインを有するＴＰ０及びＴＰ１のための対応するＤＣＩフォーマットＸ伝送パターンが、図８において示される。ＤＣＩフォーマットＸ伝送は、無線フレームのサブフレーム１及び２における構成インデックス０を有する、ＴＰ０のためのＤＣＩフォーマットＸサブフレームを含み得る。さらに、ＤＣＩフォーマットＸ伝送は、無線フレームのサブフレーム６及び７における構成インデックス２を有する、ＴＰ１のためのＤＣＩフォーマットＸサブフレームを含み得る。
【００５５】
いくつかの実例において、あまりにも頻繁である、例えばバックホール待ち時間に起因する４０ｍｓごとに１度より速いＵＬ／ＤＬ再構成を可能にすることは難しいかもしれない。しかしながら、ｅＮＢは、４０ｍｓ期間内に４回繰り返されるＤＣＩ伝送パターンにおける共通ＤＣＩ伝送の１０ｍｓデューティサイクルによってＵＥを構成し得る。その結果、ＤＣＩは、実際のＵＬ−ＤＬ構成についてＵＥに通知するために、各無線フレームにおいて送信され得るが、しかし、ＵＬ−ＤＬ再構成は、事前設定された期間より更に頻繁に変わらないかもしれず、それは、スリープモードにあるとともに再構成期間の中頃に目を覚ますＵＥの利益になり得る。
【００５６】
別の実例は、異種ネットワーク（ＨｅｔＮｅｔ）において時分割複信（ＴＤＤ）アップリンク−ダウンリンク（ＵＬ−ＤＬ）再構成を実行するように動作可能な進化型ＮｏｄｅＢ（ｅＮＢ）のコンピュータ回路の機能９００を提供する。機能は方法として実施されることができるか、又は、機能は機械上の命令として実行されることができ、ここで、それらの命令は、少なくとも１つのコンピュータ読み取り可能な媒体、又は、少なくとも１つの非一時的な機械読み取り可能な記憶媒体に含まれる。コンピュータ回路は、ブロック９１０の場合のように、ＨｅｔＮｅｔのセルクラスタ内の、選択された範囲内のバックホール待ち時間を有する複数の進化型ＮｏｄｅＢ（ｅＮＢ）に対するクラスタメトリクスを識別するように構成されることができる。コンピュータ回路は、ブロック９２０の場合のように、クラスタメトリクスに一部分基づいてセルクラスタ内の複数のｅＮＢに対するＴＤＤ  ＵＬ−ＤＬ構成インデックスを選択するように構成されることができる。コンピュータ回路は、ブロック９３０の場合のように、ダウンリンク制御情報（ＤＣＩ）フォーマットを使用してセルクラスタ内に位置する１つ又は複数のユーザ装置（ＵＥ）にＴＤＤ  ＵＬ−ＤＬ構成インデックスを送信し、ＴＤＤ  ＵＬ−ＤＬ構成インデックスがＵＥ固有のプライマリセル（ＰＣｅｌｌ）における物理ダウンリンク制御チャネル（ＰＤＣＣＨ）の共通サーチスペース（ＣＳＳ）で送信されるように更に構成されることができる。
【００５７】
一例において、コンピュータ回路は、ＵＥ固有の方法における無線リソース制御（ＲＲＣ）シグナリングを使用して、セルクラスタ内の１つ又は複数のＵＥのためのダウンリンク制御情報（ＤＣＩ）監視サブフレームを構成するように更に構成されることができる。一例において、クラスタメトリクスは、Ｘ２インタフェースを介してセルクラスタ内の複数のｅＮＢの間で交換されるとともに、クラスタメトリクスは、セルクラスタ内でｅＮＢにより使用されるＵＬ−ＤＬ構成、各ｅＮＢにより必要とされるＤＬ−ＵＬリソース、
ＵＬ伝送方向及びＤＬ伝送方向におけるバッファサイズ、及びパケット遅延のうちの１つ又は複数を含む。
【００５８】
一例において、コンピュータ回路は、分散された方法でセルクラスタ内の複数のｅＮＢの間で交換されるクラスタメトリクスの最小値、平均値、又は最大値に基づいてセルクラスタ内の複数のｅＮＢに対するＴＤＤ  ＵＬ−ＤＬ構成インデックスを選択するように更に構成されることができる。さらに、コンピュータ回路は、セルクラスタ内の複数のｅＮＢのバックホール待ち時間に基づくとともに１０ミリセカンド（ｍｓ）、２０ｍｓ、４０ｍｓ、及び８０ｍｓを含む定義された周期性に従ってセルクラスタ内の複数のｅＮＢに対するＴＤＤ  ＵＬ−ＤＬ構成インデックスを選択するように更に構成されることができる。
【００５９】
一構成において、コンピュータ回路は、システムフレーム番号（ＳＦＮ）カウンタを使用して、周期性を法として余りがゼロであるＳＦＮを有する無線フレームを制御し、ＴＤＤ  ＵＬ−ＤＬ構成がセルクラスタ内でｅＮＢにより同期的に更新されるようにＴＤＤ  ＵＬ−ＤＬ構成インデックスがセルクラスタ内のｅＮＢにより適用されるように更に構成されることができる。さらに、コンピュータ回路は、Ｕｕインタフェースを通してセルクラスタ内の１つ又は複数のＵＥにＴＤＤ  ＵＬ−ＤＬ構成インデックス情報を送信し、ＴＤＤ  ＵＬ−ＤＬ構成インデックス情報がＵＥ固有のＲＲＣ構成に応じた各無線フレーム内のサブフレーム番号０、１、５、又は６のうちの１つ又は複数における物理ダウンリンク制御チャネル（ＰＤＣＣＨ）により送信されるように更に構成されることができる。その上、コンピュータ回路は、１０サブフレームから８０サブフレームまでの予め定義された周期性及び０サブフレームから３サブフレームまでの予め定義されたオフセット値に従って、セルクラスタ内の１つ又は複数のＵＥにＴＤＤ  ＵＬ−ＤＬ構成インデックスを送信するように更に構成されることができる。
【００６０】
一例において、コンピュータ回路は、協調マルチポイント（ＣｏＭＰ）シナリオ４における１つ又は複数の送信ポイント（ＴＰ）に近接して位置する１つ又は複数のＵＥにＴＤＤ  ＵＬ−ＤＬ構成インデックスを送信し、ＴＤＤ  ＵＬ−ＤＬ構成インデックスが１つ又は複数のＴＰと関連付けられたトラフィック状態に従って１つ又は複数のＵＥに送信されるように更に構成されることができる。さらに、コンピュータ回路は、協調マルチポイント（ＣｏＭＰ）シナリオ４における１つ又は複数の送信ポイント（ＴＰ）に近接して位置する１つ又は複数のＵＥにＴＤＤ  ＵＬ−ＤＬ構成インデックスを送信し、ＴＤＤ  ＵＬ−ＤＬ構成インデックスがダウンリンクチャネル情報（ＤＣＩ）の繰り返し伝送の監視のために使用されるＤＬサブフレームパターンに従って１つ又は複数のＵＥに送信されるように更に構成されることができる。
【００６１】
一構成において、コンピュータ回路は、システム情報ブロックタイプ１（ＳＩＢ１）ダウンリンク又はスペシャル（ＤＬ／Ｓ）サブフレームのセットを示すＸビットのビットマップに従って、セルクラスタ内の１つ又は複数のＵＥにＴＤＤ  ＵＬ−ＤＬ構成インデックスを送信し、１つ又は複数のＵＥが、Ｘビットのビットマップに従ってｅＮＢからのダウンリンクチャネル情報（ＤＣＩ）伝送に関して監視し、“Ｘ”がビットマップ文字列の中のビット数を表すとともに、各ビットが特定のＳＩＢ１  ＤＬ／Ｓサブフレームを示し、ビット“１”はＵＥが対応するサブフレームにおけるＤＣＩ再構成に関して監視することになっていることを示し、ビット“０”はＵＥが対応するサブフレームにおけるＤＣＩ再構成に関して監視しないことになっていることを示すように更に構成されることができる。
【００６２】
別の実例は、異種ネットワーク（ＨｅｔＮｅｔ）において時分割複信（ＴＤＤ）アップリンク−ダウンリンク（ＵＬ−ＤＬ）再構成を実施するように動作可能なユーザ装置（ＵＥ）のコンピュータ回路の機能１０００を提供する。機能は方法として実施されることができるか、又は、機能は機械上の命令として実行されることができ、ここで、それらの命令は、少なくとも１つのコンピュータ読み取り可能な媒体、又は、少なくとも１つの非一時的な機械読み取り可能な記憶媒体に含まれる。コンピュータ回路は、ブロック１０１０の場合のように、ＵＥ能力報告を通してＴＤＤ  ＵＬ−ＤＬ再構成機能をサポートする能力を進化型ＮｏｄｅＢ（ｅＮＢ）に示すように構成されることができる。コンピュータ回路は、ブロック１０２０の場合のように、ＵＥにおけるＴＤＤ  ＵＬ−ＤＬ再構成を可能にするための構成を受信するように構成されることができる。コンピュータ回路は、ブロック１０３０の場合のように、ダウンリンク制御情報（ＤＣＩ）メッセージにおいてｅＮＢからＴＤＤ  ＵＬ−ＤＬ再構成信号を受信するように更に構成されることができる。さらに、コンピュータ回路は、ブロック１０４０の場合のように、事前に構成されたダウンリンク又はスペシャル（ＤＬ／Ｓ）サブフレームにおける物理ダウンリンク制御チャネル（ＰＤＣＣＨ）によりｅＮＢによって送信されるＴＤＤ  ＵＬ−ＤＬ再構成信号に基づいて、ＵＥのＴＤＤ  ＵＬ−ＤＬ構成を更新するように構成されることができる。
【００６３】
一例において、ＵＥにおけるＴＤＤ  ＵＬ−ＤＬ再構成を可能にするための構成は、ＵＥ固有の再構成無線ネットワークの一時的な識別子（ＲＮＴＩ）、再構成ＤＣＩ監視サブフレームの構成情報、及びインジケータインデックスのうちの少なくとも１つを含む。さらに、コンピュータ回路は、１０ミリセカンド（ｍｓ）、２０ｍｓ、４０ｍｓ、又は８０ｍｓの定義された周期性に従って、ｅＮＢからＴＤＤ  ＵＬ−ＤＬ再構成信号を受信するように更に構成されることができる。
【００６４】
一構成において、コンピュータ回路は、システム情報ブロックタイプ１（ＳＩＢ１）に従ってダウンリンクサブフレーム又はスペシャルサブフレームにおいてｅＮＢから受信されるＴＤＤ  ＵＬ−ＤＬ再構成信号に関して監視するように更に構成されることができる。さらに、コンピュータ回路は、２つの隣接する周期的なインスタンスの間の１つより多いサブフレームにおいてｅＮＢから受信されるＴＤＤ  ＵＬ−ＤＬ再構成信号に関して監視するように更に構成されることができる。その上、ＵＥにおける検出されたＴＤＤ  ＵＬ−ＤＬ構成は、ｅＮＢから受信されるＴＤＤ  ＵＬ−ＤＬ再構成信号の定義された周期性に等しい継続期間を有する窓に対して有効であり、定義された周期性は、１０ミリセカンド（ｍｓ）、２０ｍｓ、４０ｍｓ、又は８０ｍｓを含む。
【００６５】
一例において、ＵＥは、ｅＮＢから受信される２つ以上のＴＤＤ  ＵＬ−ＤＬ再構成信号に対して、２つ以上のＴＤＤ  ＵＬ−ＤＬ再構成信号がＴＤＤ  ＵＬ−ＤＬ再構成信号の定義された周期性に等しい継続期間の窓内のサブフレームにおいて検出される場合に、同じＴＤＤ  ＵＬ−ＤＬ構成を用いる。さらに、ＵＥは、アンテナ、タッチセンシティブ表示画面、スピーカ、マイクロホン、グラフィックプロセッサ、アプリケーションプロセッサ、内部メモリ、又は不揮発性メモリポートを含む。
【００６６】
別の実例は、図１１におけるフローチャートにおいて示されたように、異種ネットワーク（ＨｅｔＮｅｔ）において時分割複信（ＴＤＤ）アップリンク−ダウンリンク（ＵＬ−ＤＬ）再構成を実行するための方法１１００を提供する。方法は機械上の命令として実行されることができ、ここで、それらの命令は、少なくとも１つのコンピュータ読み取り可能な媒体、又は、少なくとも１つの非一時的な機械読み取り可能な記憶媒体に含まれる。方法は、ブロック１１１０の場合のように、ＨｅｔＮｅｔのセルクラスタ内の、選択された範囲内のバックホール待ち時間を有する複数のノードに対するクラスタメトリクスを識別する動作を含む。方法は、ブロック１１２０の場合のように、クラスタメトリクスに一部分基づいてセルクラスタ内の複数のノードに対するＴＤＤ  ＵＬ−ＤＬ構成インデックスを選択する動作を含むことができる。方法は、ブロック１１３０の場合のように、ダウンリンク制御情報（ＤＣＩ）フォーマットを使用してセルクラスタ内に位置する１つ又は複数のユーザ装置（ＵＥ）にＴＤＤ  ＵＬ−ＤＬ構成インデックスを送信する動作であって、ＴＤＤ  ＵＬ−ＤＬ構成インデックスがＵＥ固有のプライマリセル（ＰＣｅｌｌ）における物理ダウンリンク制御チャネル（ＰＤＣＣＨ）の共通サーチスペース（ＣＳＳ）で送信される、動作を更に含むことができる。
【００６７】
一構成において、方法は、無線リソース制御（ＲＲＣ）シグナリングを使用して、セルクラスタ内の１つ又は複数のＵＥのためのダウンリンク制御情報（ＤＣＩ）監視サブフレームを構成する動作であって、１つ又は複数のＵＥがシステム情報ブロックタイプ１（ＳＩＢ１）に従ってダウンリンクサブフレームにおけるＴＤＤ  ＵＬ−ＤＬ再構成に関して監視する、動作を更に含むことができる。さらに、方法は、クラスタメトリクスの最小値、平均値、又は最大値に基づいてセルクラスタ内の複数のノードに対するＴＤＤ  ＵＬ−ＤＬ構成インデックスを選択する動作であって、クラスタメトリクスが、Ｘ２インタフェースを介してセルクラスタ内の複数のノードの間で交換されるとともに、クラスタメトリクスが、ＵＬ−ＤＬ構成、ＤＬ−ＵＬリソース、ＵＬ及びＤＬにおけるバッファサイズ、及びパケット遅延のうちの１つ又は複数を含む、動作を更に含むことができる。
【００６８】
一構成において、方法は、システム情報ブロックタイプ１（ＳＩＢ１）ダウンリンク又はスペシャル（ＤＬ／Ｓ）サブフレームのセットを示すＸビットのビットマップに従って、セルクラスタ内の１つ又は複数のＵＥにＴＤＤ  ＵＬ−ＤＬ構成インデックスを送信する動作であって、１つ又は複数のＵＥが、Ｘビットのビットマップに従ってノードからのダウンリンクチャネル情報（ＤＣＩ）伝送に関して監視し、“Ｘ”がビットマップ文字列の中のビット数を表すとともに、各ビットが特定のＳＩＢ１  ＤＬ／Ｓサブフレームを示し、ビット“１”はＵＥが対応するサブフレームにおけるＤＣＩ再構成に関して監視することになっていることを示し、ビット“０”はＵＥが対応するサブフレームにおけるＤＣＩ再構成に関して監視しないことになっていることを示す、動作を更に含むことができる。一例において、ノードは、基地局（ＢＳ）、ＮｏｄｅＢ（ＮＢ）、進化型ＮｏｄｅＢ（ｅＮＢ）、ベースバンドユニット（ＢＢＵ）、リモート無線ヘッド（ＲＲＨ）、リモート無線装置（ＲＲＥ）、又はリモート無線ユニット（ＲＲＵ）を含むグループの中から選択される。
【００６９】
図１２は、ユーザ装置（ＵＥ）、移動局（mobile  station：ＭＳ）、移動無線装置、移動通信装置、タブレット、ハンドセット、又は他のタイプの無線装置のような無線装置の実例の説明図を提供する。無線装置は、ノード、マクロノード、低電力ノード（low  power  node：ＬＰＮ）と、又は、例えば基地局（base  station：ＢＳ）、進化型ＮｏｄｅＢ（ｅＮＢ）、ベースバンドユニット（baseband  unit：ＢＢＵ）、リモート無線ヘッド（remote  radio  head：ＲＲＨ）、リモート無線装置（remote  radio  equipment：ＲＲＥ）、中継局（relay  station：ＲＳ）、無線装置（radio  equipment：ＲＥ）、若しくは他のタイプの無線広域ネットワーク（wireless  wide  area  network：ＷＷＡＮ）アクセスポイントのような送信局と通信するように構成される１つ又は複数のアンテナを含むことができる。無線装置は、３ＧＰＰ  ＬＴＥ、ＷｉＭＡＸ（ワイマックス）、高速パケットアクセス（ＨＳＰＡ）、ブルートゥース（登録商標）、及びＷｉＦｉ（ワイファイ）を含む少なくとも１つの無線通信標準を使用して通信するように構成されることができる。無線装置は、各無線通信標準のための別個のアンテナ、又は複数の無線通信標準のための共有されたアンテナを使用して通信することができる。無線装置は、無線ローカルエリアネットワーク（wireless  local  area  network：ＷＬＡＮ）、無線パーソナルエリアネットワーク（wireless  personal  area  network：ＷＰＡＮ）、及び／又はＷＷＡＮにおいて通信することができる。
【００７０】
図１２は、同様に、無線装置からの音声入力及び音声出力のために使用されることができるマイクロホン及び１つ又は複数のスピーカの実例を提供する。表示画面は、液晶表示装置（liquid  crystal  display：ＬＣＤ）スクリーン、又は、有機発光ダイオード（organic  light  emitting  diode：ＯＬＥＤ）ディスプレイのような他のタイプの表示画面であり得る。表示画面は、タッチスクリーンとして形成され得る。タッチスクリーンは、容量性、抵抗性、又は別のタイプのタッチスクリーン技術を使用し得る。アプリケーションプロセッサ及びグラフィックプロセッサは、処理機能及び表示機能を提供するために、内部メモリと連結され得る。不揮発性メモリポートは、同様に、データ入出力オプションをユーザに提供するために使用されることができる。不揮発性メモリポートは、同様に、無線装置のメモリ性能を拡張するために使用されることができる。キーボードは、追加のユーザ入力を提供するために、無線装置と一体化され得るか、又は無線装置に無線で接続され得る。仮想キーボードが、同様に、タッチスクリーンを使用して提供され得る。
【００７１】
様々な技術、又は特定の態様若しくはその一部分は、例えばフロッピー（登録商標）ディスク、ＣＤ−ＲＯＭ、ハードドライブ、非一時的なコンピュータ読み取り可能記憶媒体、又はあらゆる他の機械読み取り可能記憶媒体のような有形媒体において具体化されるプログラムコード（すなわち命令）の形式を取り得るとともに、コンピュータのような機械にプログラムコードがロードされて実行される場合に、その機械は様々な技術を実行するための装置になる。回路は、ハードウェア、ファームウェア、プログラムコード、実行可能コード、コンピュータ命令、及び／又はソフトウェアを含むことができる。非一時的なコンピュータ読み取り可能記憶媒体は、信号を含まないコンピュータ読み取り可能記憶媒体であり得る。プログラム可能なコンピュータ上のプログラムコードの実行の場合は、計算装置は、プロセッサ、プロセッサにより読み取り可能な記憶媒体（揮発性及び不揮発性記憶装置、並びに／又は記憶素子を含む）、少なくとも１つの入力装置、及び少なくとも１つの出力装置を含み得る。揮発性及び不揮発性記憶装置、並びに／又は記憶素子は、ＲＡＭ、ＥＰＲＯＭ、フラッシュドライブ、光学式ドライブ、磁気ハードドライブ、ソリッドステートドライブ、又は電子データを格納するための他の媒体であり得る。ノード及び無線装置は、同様に、トランシーバモジュール、カウンタモジュール、処理モジュール、及び／又はクロックモジュール若しくはタイマモジュールを含み得る。ここで説明された様々な技術を実施し得るか、又は利用し得る１つ若しくは複数のプログラムは、アプリケーションプログラミングインタフェース（application  programming  interface：ＡＰＩ）、再利用可能な制御装置（reusable  control）などを使用し得る。そのようなプログラムは、コンピュータシステムと通信するために、高水準の手続き的又はオブジェクト指向のプログラミング言語において実装され得る。しかしながら、（複数の）プログラムは、必要に応じて、アセンブリ又は機械語で実装され得る。いずれにせよ、言語は、コンパイルされた言語又はインタープリタ型言語であり得るとともに、ハードウェアの実装と組み合わせられ得る。
【００７２】
この明細書で説明された複数の機能単位が、それらの実装の独立性をさらに特に強調するためにモジュールとして分類された、ということが理解されるべきである。例えば、モジュールは、カスタムＶＬＳＩ回路又はゲートアレイ、ロジックチップのような既製の半導体、トランジスタ、又は他の個別部品を含むハードウェア回路として実施され得る。モジュールは、同様に、フィールドプログラマブルゲートアレイ、プログラマブルアレイロジック、プログラマブルロジックデバイスなどのようなプログラム可能なハードウェア装置に実装され得る。
【００７３】
モジュールは、同様に、様々なタイプのプロセッサによる実行のためのソフトウェアに実装され得る。例えば、実行可能コードの識別されたモジュールは、例えばオブジェクト、手順、又は機能として体系化されているかもしれないコンピュータ命令の１つ又は複数の物理的又は論理的ブロックを含み得る。それでもなお、識別されたモジュールの実行ファイルは、物理的に一緒に配置される必要はないが、しかし、論理的に一緒に結合される場合に、モジュールを含むとともに、モジュールのために定められた目的を達成する、異なる場所に格納される本質的に異なる命令を含み得る。
【００７４】
実際には、実行可能コードのモジュールは、１つの命令又は多くの命令であり得るとともに、異なるプログラムの間で、そしていくらかのメモリ装置を横断して、いくらかの異なるコードセグメントにさらに分配され得る。同様に、操作上のデータは、モジュールの中で、識別されてここで例示され得るとともに、あらゆる適当な形式で具体化され、あらゆる適当なタイプのデータ構造の中で体系化され得る。操作上のデータは、１つのデータセットとして集められ得るか、又は異なる記憶装置上を含む異なる場所に分散され得るか、又は少なくとも部分的にシステム又はネットワーク上の単なる電気信号として存在し得る。モジュールは、所望の機能を果たすように動作可能なエージェントを含んで、受動的であるか、又は能動的であり得る。
【００７５】
この明細書の至るところにおける“実例”に対する参照は、実例に関連して説明された特別な特徴、構造、又は特性が、本発明の少なくとも１つの実施例に含まれることを意味する。したがって、この明細書の至るところの様々な場所における“実例において”という言い回しの状況は、全てが必ずしも同じ実施例を参照するとは限らない。
【００７６】
ここで使用されるように、複数の項目、構造部材、構成的な要素、及び／又は材料は、便宜上、共通のリストにおいて提示され得る。しかしながら、リストの各メンバーが別個かつ唯一のメンバーであるとして個々に特定されるように、これらのリストは解釈されるべきである。したがって、そのようなリストの個別のメンバーは、反対の表示を備えていない一般のグループにおけるそれらの提示に基づいて、単独で同じリストの他のメンバーの事実上の等価物と解釈されるべきでない。さらに、本発明の各種の実施例及び実例は、そのいろいろな構成要素に対する代替物とともに、ここで言及され得る。そのような実施例、実例、及び代替物は、相互の事実上の等価物と解釈されるべきではないが、しかし、それらは、本発明の別個の、そして自主的な説明と考えられるべきである、ということが理解されるべきである。
【００７７】
さらに、説明された特徴、構造、又は特性は、１つ又は複数の実施例において、あらゆる適切な方法で結合され得る。本発明の実施例の完全な理解を提供するために、下記の説明では、配置の例、距離、ネットワーク例などのような、多数の特定の詳細が提供される。しかしながら、当業者は、発明が、１つ又は複数の特定の詳細なしで、又は他の方法、構成要素、配置などによって、実践されることができる、ということを認識するであろう。他の場合において、周知の構造、材料、及び動作は、本発明の態様を不明瞭にすることを回避するために、詳細に示されないとともに説明されない。
【００７８】
上述の例が１つ又は複数の特定のアプリケーションにおいて本発明の原理の実例となる一方、当業者には、実施の形式、使用、及び詳細における多数の修正が、発明力の課題なしで、そして本発明の原理及び概念からはずれずに行われ得る、ということが明確であろう。したがって、添付の請求項を除いて本発明が限定されるということは意図されない。
【図１】
0006382378.tif 000003
【図２Ａ】
0006382378.tif 000004
【図２Ｂ】
0006382378.tif 000005
【図２Ｃ】
0006382378.tif 000006
【図３】
0006382378.tif 000007
【図４】
0006382378.tif 000008
【図５Ａ】
0006382378.tif 000009
【図５Ｂ】
0006382378.tif 000010
【図６】
0006382378.tif 000011
【図７Ａ】
0006382378.tif 000012
【図７Ｂ】
0006382378.tif 000013
【図８】
0006382378.tif 000014
【図９】
0006382378.tif 000015
【図１０】
0006382378.tif 000016
【図１１】
0006382378.tif 000017
【図１２】
0006382378.tif 000018